(57)【要約】  本発明は、断片状または粒状の包装製品の為の包装であって、特に包装材の、個々の領域に設けられた打ち抜き及び／又は刻印を有する（薄手の）厚紙または同様な包装材から成る（直方体形状の）たばこ包装に関する。  発明に従い、取り扱いに重要な包装壁の領域、特に箱・前壁（１５）及び／又は蓋・前壁（２２）の領域に、打ち抜きにより形成された開口部（３５、３６）及び／又は穿孔部（３７）及び／又は刻印により形成された突出部又はくぼみ及び／又は包装壁に設けられた外的材料、特にホットメルトから成る隆起部または凸状部（４１）及び／又はくぼみ（４２）に設けられた外的材料、特にホットメルトから成る充填部（４３）からなる構造範囲（５０）が設けられることが提案される。
2014532594.tif 000002
【特許請求の範囲】
【請求項１】
断片状または粒状の包装製品の為の包装であって、特に包装材の、個々の領域に設けられた打ち抜き及び／又は刻印を有する（薄手の）厚紙または同様な包装材から成る（直方体形状の）たばこ包装において、取り扱いに重要な包装壁の領域、特に箱・前壁（１５）及び／又は蓋・前壁（２２）の領域に、打ち抜きにより形成された開口部（３５、３６）及び／又は穿孔部（３７）及び／又は刻印により形成された突出部又はくぼみ及び／又は包装壁に設けられた外的材料、特にホットメルトから成る隆起部または凸状部（４１）及び／又はくぼみ（４２）に設けられた外的材料、特にホットメルトから成る充填部（４３）からなる構造範囲（５０）が設けられることを特徴とする包装。
【請求項２】
突出部、特に凸状部（４１）またはくぼみ（４２）に設けられた、該当する壁部と好ましくは外側で揃えられた充填部（４３）が、当初形成可能な、硬化された材料から成り、好ましくはホットメルトから成り、この材料が、突出部または凸状部（４１）を形成しつつ包装壁部に塗布され、またはくぼみ（４２）を充填する為にこの中に導入されることを特徴とする請求項１に記載の包装。
【請求項３】
充填部（４３）を有する内側に向けられた凹状のくぼみ（４２）が、蓋・前壁（２２）に、蓋（１１）の頭部壁（２３）の方に向けられた領域内、蓋・前壁（２２）に内側から当接する蓋・内タブ（２９）の外側に設けられていることを特徴とする請求項１または２に記載の包装。
【請求項４】
構造範囲（５０）が、小さな（穿）孔部（３７）から成り、これら孔部が外側に向けられた突出部、特に周辺部（３８）を備え、その際、そのように形成された構造範囲（５０）が、好ましくは蓋・前壁（２２）の領域に設けられていることを特徴とする請求項１から３のいずれか一項に記載の包装。
【請求項５】
内側に位置するカバーされた包装壁部または折タブを除く全ての包装壁部が、連続した全面にわたるラスター状の構造を設けられており、特にうろこ刻印としての実施にて設けられており、好ましくは外側に向けられた湾曲部（３９）と、これを取り囲む内側に向けられた形状周辺部（４０）を有することを特徴とする請求項１から４のいずれか一項に記載の包装。
【請求項６】
フラップ式箱の内側に位置する箱・横タブ（１９）と内側に位置する蓋・横タブ（２７）並びに、好ましくは底・角タブ（２０）と頭部・角タブ（２８）が、刻印を有さず、つまり平滑に形成されていることを特徴とする請求項５に記載の包装。
【請求項７】
フラップ式箱において配置されたカラー部（１２）が、全面にわたる刻印を有し、特にうろこ状の刻印（３９、４０）を有することを特徴とする請求項５または６に記載の包装。
【請求項８】
特別な形状の起立する包装縁部、特に丸縁部（４４）及び／又は傾斜縁部を有するフラップ式箱において、包装縁部の領域に、刻印帯（４５）が構造を付与された表面と共に形成されており、特に、外に向けられた突出部または隆起部（４７）を有する針穴部の密な編成と共に形成されていることを特徴とする請求項１から７のいずれか一項に記載の包装。
【請求項９】
断片状または粒状の包装製品の為の包装であって、特に個々の領域に設けられた包装材の打ち抜き部及び／又は刻印を有する（薄手の）厚紙または同様な包装材から成る（直方体形状の）たばこ包装において、特に厚紙から成る直方体形状の包装、好ましくはフラップ式箱が、ひとつのブランクより形成され、このブランクが、好ましくは、折線（１３、１４）の領域に形成された包装縁部が、好ましくは直角の折り曲げに基づいて、孔部（３１）の形状に相応して凹形状のくぼみを有するよう、打ち抜きにより設けられた孔部（３１）を縦折線（１３）及び／又は横折線（１４）の領域に有することを特徴とする包装。
【請求項１０】
ブランクが、選ばれた縦折線（１３）の領域及び／又は選ばれた横折線（１４）の領域に打ち抜きにより設けられる孔部（１３）を有し、好ましくは、これが略楕円形、またはレンズ形状の輪郭を有し、これが、ブランクの折り曲げによって折線（１３、１４）の領域に相応して凹形状の斜めに延在するくぼみが生じるよう、各折線の両側に延在していることを特徴とする請求項９に記載の包装。
【請求項１１】
好ましくは、全ての前側の縦折線（１３）および横折線（１４）並びに後ろ側の縦折線（１３）が、箱部分（１０）の領域に孔部（３１）または凹形状のくぼみを有し形成されていることを特徴とする請求項９または１０に記載の包装。
【請求項１２】
フラップ式箱において、前側の蓋・閉じ縁部（３３）と、これの反対側に位置する箱・閉じ縁部（３４）が、箱・前壁（１５）の上方の境界として、好ましくは複数の穴部（３１）を蓋・閉じ縁部（３３）を形成する蓋・前壁（２２）の横折り船の領域内に、および向かい合って位置する箱・閉じ縁部（３４）の周辺空所部（３２）とを有し、これらが、閉じられた蓋（１１）において共通の開口部を形成することを特徴とする請求項９から１１のいずれか一項に記載の包装。
【発明の詳細な説明】
【技術分野】
【０００１】
本発明は、断片状または粒状の包装製品の為の包装、特に、請求項１の上位概念にかかる特徴を有するたばこ包装に関する。さらに本発明は、請求項９の上位概念にかかる特徴を有する包装の発明に関する。
【背景技術】
【０００２】
本発明のテーマは、全ての種類の、特に直方体形状のたばこ包装である。特に、たばこのフラップ式箱（ヒンジリッドパック）に関する。
【発明の概要】
【発明が解決しようとする課題】
【０００３】
本発明の課題は、基本的に標準的形成の包装の外装を、より改善された取り扱いと特別な外装という目的を持って発展させることである。
【課題を解決するための手段】
【０００４】
この課題の解決の為に、発明にかかる包装は、請求項１に記載の特徴及び／又は請求項９に記載の特徴を有し形成される。
【０００５】
原理的には、本発明は、包装、特に、（薄手の）厚紙から成るたばこ包装を、包装の選択された面領域または縁部に材料変形、つまり打ち抜き、刻印、切り込み、さらには外的材料の付着を行うことによって、一つには、重要な表装が与えられ、他方では、包装の使用に対して消費者に心地良いまたは簡単な取り扱いが与えられるよう変更することである。ユーザーフレンドリーな形状に関して、改善された「触感」、つまり包装が消費者によりつかまれた、または保持された際の主観的感覚が、発明にかかる形状によって生じる。フラップ式箱において箱・前壁及び／又は蓋前壁の領域中の包装縁部及び／又は選択された包装面に構造を設けることによって、包装の取り扱い、つまり蓋を開け閉めすることが簡単となる。
【０００６】
刻印または空所部を有するフラップ式箱のタイプのたばこ包装は公知である。丸縁部の包装において、つまり丸められた起立する包装縁部を有するフラップ式箱（特許文献１：欧州特許出願第０  ７４５  ５４１号明細書）において、丸められた縁部の領域に材料変形により形成された溝が設けられる。これら溝は、折り曲げプロセスにおける丸縁部の製造を簡単にする。包装前面に刻印を有する包装も公知である。これらは、包装を特徴付ける目的で設けられ、または造形的高級化手段として設けられる（特許文献２：欧州特許第０  ８８５  ８０９号明細書）。最後に、前側に空所部が設けられ、これら空所部が包装の取り扱いを、空所部内に手が入り込むことによって簡単にする、またはこれら空所部が窓部として機能するタイプの包装が公知である（特許文献３：欧州特許出願第１  ５３２  ０５８号明細書）。
【０００７】
発明にかかる包装において、延伸され、かつ丸められた孔部が、起立した及び／又は横方向の包装縁部の領域に配置されるので、包装をつかむ際に、「手触りのよい」構造が与えられる。代替として、または追加的に、フラップ式箱において、特に前側の面又は壁部が構造を付与されている、つまりフラップ式箱において特に箱・前壁及び／又は蓋・前壁が構造を付与されているので、個々の表装の他に、高められた摩擦抵抗の領域に基づいて取り扱いが行われることができる。材料の変形（刻印）により設けられた構造は、接着接続の為の面を有する選ばれた折タブという例外の他は、全包装面をカバーする。特別な包装縁部の領域、例えば丸縁部または傾斜縁部にも、改善された把持可能性の為の特別な構造が形成されることが可能である。
【０００８】
発明にかかる包装のさらなる個々の特性および特徴は、図面に基づき以下に詳細に説明される。
【図面の簡単な説明】
【０００９】
【図１】フラップ式箱のタイプの包装のためのブランクを開いた図。
【図２】図１のブランクから作られるフラップ式箱の斜視正面図。
【図３】図２の包装の斜視背面図。
【図４】図２、図３の包装の斜視図。蓋が開かれている。
【図５】他の実施形のフラップ式箱の為の開かれたブランクの図。
【図６】図５のブランクから成る包装の斜視図。
【図７】フラップ式箱の他の実施形の為のブランク。
【図８】図７のブランクから成る包装の斜視図。
【図９】図８の垂直断面ＩＸ−ＩＸの部分図。拡大されたスケールの図。
【図１０】フラップ式箱のための別のブランクの図。
【図１１】図１０のブランクから成る包装の斜視図。
【図１２】図１１の包装の垂直部分ＸＩＩ−ＸＩＩの拡大図。
【図１３】フラップ式箱の別の実施形の為のブランクの図。
【図１４】図１３のブランクから作られた包装の斜視図。
【図１５】図１４の包装の垂直部分ＸＶ−ＸＶの拡大図。
【図１６】図１５と同様な他の実施例の為の図。
【図１７】丸縁部・包装の為のブランクの図。
【図１８】図１７のブランクから成る包装の斜視図。
【図１９】図１８の水平部分断面ＸＩＸ−ＸＩＸの拡大図。
【発明を実施するための形態】
【００１０】
図面に記載の（たばこ）包装の特別な実施例は、基本的にスタンダードな構成を有する（薄手の）厚紙のフラップ式箱に関する。
【００１１】
このタイプの包装は、箱部分１０と蓋１１からなる。包装のこれらの主部分は、一体のブランク（図１）から形成されている。さらにフラップ式箱は、この場合、個別のブランクから形成されるカラー部１２を備えている。
【００１２】
このような包装の全体には、好ましくはブロック形状の包装内容物、つまり銀紙、紙等からなる内ブランク４８により巻かれたタバコ群が属する。このユニットは、直方体形状のタバコブロック４９を形成する。さらに完成した包装は、（図示されていない）フィルム製の外ブランクによって取り囲まれていることが可能である。
【００１３】
ブランクは、標準で、縦折線１３および横折線１４によって境界づけられる折タブまたは包装壁を有している。箱部分１０には、箱・前壁１５、これに続く底壁１６、箱・後壁１７および箱・前壁１５に配設された（外側の）箱・横タブ１８並びに箱・後壁１７と接続された内側の箱・横タブ１９の為のブランクの領域が属している。最後のものは、底壁１６に隣接して底・角タブ２０を備えている。完成した包装において、横タブ１８、１９は、それぞれ共通の箱・側壁２１を形成する。底・角タブ２０は、これらが底壁１６の内側に当接するよう折り曲げられる。
【００１４】
同様に、蓋１１は形成され、つまり蓋・前壁２２、頭部壁２３および蓋・後壁２４からなる。最後のものは、横方向に向けられた線接続部２５を介して箱・後壁１７と接続されている。蓋・前壁２２には横から、（外側の）蓋・横タブ２６が配設されている。これに、蓋・後壁２４の領域の内側の蓋・横タブ２７が属している。蓋・後壁２４の台形の蓋・横タブ２７に、頭部・角タブ２８が設けられている。さらに蓋１１には、蓋・内タブ２９が属している。これは、完成した包装において、蓋・前壁２２の内側に向かって折り曲げられ、そしてこれと接続される。蓋・横タブ２６、２７は、完成した包装において互いに接し、そして接着剤により接続される。そのようにして蓋・側壁３０が生じる。
【００１５】
構造において典型的な包装、この場合フラップ式箱が、起立した包装縁部または横方向の包装縁部の領域中で、及び／又は、包装壁の選択された面の領域において、特別な機能的構造を有し、この構造が消費者に対し包装を持つさい、及び／又は扱う際にポジティブな感覚を与える。図１から図４の実施例において、選択された縦折線１３及び／又は横折線１４は、孔部３１を設けられ、これら孔部は好ましくはブランク（図１）の製造と同時に打ち抜きにより作り出される。孔部３１はここで特別な形状を有している。つまり、尖って合流する丸められた端部領域を有する基本的に楕円形状に形成されているので、全体として略レンズ形状の孔部３１が生じ、これら孔部が折線１３、１４の中央に配置されている。折線１３、１４の領域には、複数の孔部３１の列が配置されており、好ましくは互いに同じ間隔で配置されている。箱部分１０の前側の包装縁部に属する縦折線１３の部分が、例えば４つの孔部３１を有する一つの実施例は有利である。折線１３の箱・後壁１７に属する領域の折縁部は、長い長さに基づき例えば５つの孔部３１を有している。さらに横折線１４は、底壁１６の前側に複数、例えば３つの孔部３１を有している。蓋１１の領域には、前側の折線１３中に孔部３１が存在し、この場合、１つの孔部３１がある。横折線１４に沿って、例えば３つの孔部３１が設けられている。底壁１６と頭部壁２３の後ろ側の横折線１４および蓋・後壁２４の縦折線１３は孔部が設けられないままである。
【００１６】
折曲げ完成された包装において孔部３１は、相応するくぼみ又は波形状の輪郭を起立した（断面において直角の）包装縁部の領域に形成する。箱・側壁２１と蓋・側壁３０の二重層式の形成は、折タブ１８、１９、２７、２８がくぼみ又は周辺空所部３２を有し、これらが折られた状態で互いに補足しあい、または付設された（後ろ側の）折縁部の領域中で孔部３１と対応するので、後ろ側にも包装縁部のくぼみを有する構造が生じるということにより考慮されている。孔部３１に基づく凹形状のくぼみは、内側から部分的にはたばこブロック４９によりカバーされ、部分的にはカラー部１２によりカバーされる。
【００１７】
包装の前側の領域には、前方の横折線１４またはこれにより形成される折縁部のみが、孔部３１により作り出される構造を有している。後ろ側の横縁部も同様に形成されることが可能である。
【００１８】
一つの特殊性は、前側の領域における蓋１１の形状である。蓋・前壁２２と頭部壁２３の間の横縁部１４は、好ましくは３つの、縦中央平面に対して分配されて配置された空所部を相応する孔部３１に基づいて有している。蓋１１の起立した前側の包装縁部１３の領域には、一つの孔部３１に基づき、それぞれ１つの、好ましくは略中央に配置された空所部が設けられている。これによって蓋１１は、開く際にこの領域において効果的に捕まれることが可能である。
【００１９】
蓋・前壁２２と蓋・内タブ２９の間の横縁部１４は、この場合３つの均等に分配された孔部３１を有しており、蓋・内タブ２９の折られた状態に基づいて一つの蓋・閉じ縁部３３を形成する。この蓋・閉じ縁部は、閉じられた蓋１１において箱・前壁１５の上方の境界としての箱・閉じ縁部３４と向かい合っている。蓋・閉じ縁部３３と箱・閉じ縁部３４は孔部３１と周辺空所部３２の相互作用によって、一つの特別な構造を形成する。蓋・閉じ縁部３３の領域の蓋１１の孔部３１は、折られた状態に基づいて、周辺側の丸められたパンチ部を形成するに至る。箱・閉じ縁部３４は、この場合同様に三つの周辺空所部３２を有しており、これらは蓋・閉じ縁部３３の孔部に向けられている。蓋１１の閉じられた状態では、自由な空所部又は孔部が生じ、これらが一方で蓋・閉じ縁部３３により、そして他方で箱・閉じ縁部３４により境界づけられる。内側においてこれら空所部または孔部は、カラー部１２により、つまり通常の方式で形成されたカラー部・前壁により境界づけられる、またはカバーされる。この効果は、前側の、起立した包装縁部１３の領域にも、カラー部により形成されるカラー部・縁部によって生じる。
【００２０】
図５、図６に従う実施例は、他の効果的な包装構造を示す。これは同様に、好ましい実施例としてのフラップ式箱に基づいている。包装（図６）またはそのブランク（図５）は、カラー部１２を含め、従来の方式で構成されている。ここで、特別な形状は、箱・前壁１５の領域の開口部３５、３６に関する。箱・閉じ縁部３４に隣接して、複数の、この場合、丸い、または円形の開口部３５、３６が設けられ、これらが好ましくは同様に打ち抜きによってブランクの製造の際に設けられる。
【００２１】
開口部３５は、特別な配置、つまり星のように配置されている。中央の中心の開口部３５は、好ましくは複数の放射状の（仮想の）線にそって配置される好ましくはより小さな開口部３６（２ｍｍから５ｍｍ、特に３ｍｍ）よりも大きな直径（３ｍｍから８ｍｍ、特に５ｍｍ）で形成されている。特別な配置の開口部３５、３６は、包装の装飾的高級化構造を形成しており、特に、示されるように開口部３５、３６が内側から、前壁の領域において拡大されたカラー部１２によりカバーされているときそうである。その際、カラー部１２またはその前壁が、色の面で特別に施されていることが可能である。孔部３５、３６は、その配置および大きさに基づき、一つの構造範囲５０を形成する。これは、包装を掴み、そして保持することを簡単にする。特に蓋１１を開き、および閉じるときにそうである。
【００２２】
図７から９の実施例は、包装壁部、この場合蓋・前壁２２の三次元構造を含んでいる。これは、複数の、好ましくは編成を組まれたより小さな孔部を有している。つまり穿孔部３７である。これらは包装壁部に、孔部３７の領域に、外側に向けられた材料変形部、つまり出っ張りまたは穿孔部３７を取り囲む突出した周辺部３８が生じるよう設けられている。穿孔部３７は、ここでは平行な横列中に配置されており、全体として台形の形状の配置に配置されている。これは同様に機能的な構造範囲５０として使用される。この構造範囲５０は、好ましくは蓋・前壁２２の略中央に、蓋１１を手で掴むための明らかに高い摩擦を有する、蓋・前壁２２の領域における把持範囲として存在する。蓋・内タブ２９は、穿孔部３７を内側から（部分的に）カバーすることができる。
【００２３】
図１０から１２の実施例においては、包装の選ばれた壁部が、（外側に）全面にわたって、材料変形によって設けられる、つまりブランクの全面にわたる刻印によって設けられる構造を有している。これはこの場合、波形状、またはうろこ状の構造を取っている。比較的小さな、外側に向けられた材料湾曲部３９が設けられ、これらが（うろこ状に形成された）内側に向けられた形状周辺部４０によって取り囲まれている。（薄手の厚紙の）包装材料の刻印により設けられた構造は、包装または包装材料の高い安定性を生じ、そして消費者が包装を持った際に心地良い作用を生じる。（形状周辺部４０の領域において）例えば約１／１０ｍｍから５／１０ｍｍ、好ましくはおよそ２／１０ｍｍから３／１０ｍｍの、例えば変形深さを有する、均等な、ラスター状の変形部３９、４０は、意味がある。範囲（うろこ）の大きさも、機能的理由から好ましくは、各方向において２ｍｍから５ｍｍの寸法（縁部長さ）に制限される。
【００２４】
この実施例においては、包装の全ての壁部または面が、小さくラスター状とされた構造（うろこ刻印）を有している。例外は、内側に位置する箱・横タブ１９と蓋・横タブ２７である。これらはそれぞれ、外側の横タブ１８、２６と接続するための接着剤を有する。さらに底・角タブ２０および蓋・角タブ２８も刻印を有していない。反対に、蓋・内タブ２９は（うろこ）刻印を有している。これは、折られた蓋・内タブ２９において、蓋・前壁２２の形状と一致している。この場合、カラー部１２も、包装に対してその他では点では合う全面の（うろこ）刻印を形成されている。
【００２５】
図１３から図１５の実施例は、適用される構造に関する特別性を示す。フラップ式箱の選ばれた面または壁部、この場合、蓋・前壁２２が、突出部または隆起部、この場合、比較的小さな個々の凸状部４１を有している。これらは、特別な材料からなっており、および包装の当該面に塗布され、およびこれと接続される。凸状部４１は、この場合、全蓋・前壁２２にわたって延在する構造範囲５０を形成する。
【００２６】
凸状部４１は、プラスチックから成ることが可能である。その際、材料は流体の状態または形成可能な状態で塗布され、好ましくはブランクの製造の際に塗布される（図１３）。材料の硬化により形状安定的な、包装壁と接続される凸状部４１が生じる。これらは好ましくは、ホットメルト接着剤から成る。つまり、高温で形成可能であり、および通常の周辺温度において包装を使用する間、固体である物質から成る。凸状部４１は、丸いまたは円頭状の構造を有し、および好ましくは横に向けられた列中で、いずれにせよ狭い構造中で、蓋・前壁２２の面上（または他の包装壁部の面上）に配置される。
【００２７】
図１６は、上述した実施例に対する代替形を示す。包装壁部、この場合、蓋１１の頭部壁２３に向けられた、蓋・前壁２２の（上方の）領域が、ここでは蓋・内タブ２９の外側に、ブランクの材料の刻印により形成される、好ましくは丸められたくぼみ４２を構造範囲５０として有している。そのように形成された凹部中に、当初形成可能な物質が充填される。この物質は、好ましくは蓋・前壁２２の外側と面一であり、そのようにしてくぼみ４２の充填部４３を形成する。充填部４３の材料は、高い摩擦値を有し、特にプラスチック、またはホットメルと物質から成る。刻印またはくぼみ４２とその充填部４３は、好ましくはブランクの製造の際に製造される（図１３）。
【００２８】
図１７から図１９には、特別に形成された包装縁部を有するフラップ式箱の形状例が示されている。その際これは、いわゆる丸縁部包装である。この包装において、起立した包装縁部は丸縁部４４として形成され、好ましくは断面形状が四分の一円である。ブランク（図１７）は、丸縁部４４の領域中に刻印によって作られる個々の折線を有さず、点状の刻印のグループを有する。これらは、丸縁部４４の寸法に相当する刻印帯４５に編成をくまれている。各刻印帯４５は、複数の、小さな点状の隆起部から成る。これらは、図９の実施例に類似して、針穴部４６として形成されている。適当な針状のツールが、好ましくは図１７のブランクの製造の際に、ブランクの内側に作用するので、貫通した孔部４６が生じ、これは包装の外側に尖った先細の隆起部４７を有する。好ましくは、そのように形成された刻印帯４５は、丸められた全ての包装縁部４４の領域に配置され、ここでは蓋１１の領域にも配置される。好ましくは、もっぱら丸め部の領域のみに設けられるこの構造は、消費者が包装を保持する際に確実な感触を与える。包装の滑らかな表面においても、これらは高い圧力を適用することなく保持されることが可能である。
【００２９】
上述した実施例は、意味を有する限り、包装において共通して使用されることが可能である。図７から図９の実施例、または図１３から図１６の実施形における蓋・前壁２２の形状は、図５、６または図１７から図１９の包装においても有利に使用されることが可能である。図１０から図１２の全面にわたる構造は、個々に選択された包装壁部に対して使用されることが可能である。図１７から図１９の丸縁部４４の特別な形成は、類似して、八角形、または斜縁部の包装に対しても適用することが可能である。さらに、全ての示されたおよび記載された構造は、他の（たばこ）包装に対して適用可能であり、特にシェル・アンド・スライドタイプの包装、容器包装、またはいわゆるキャップ式箱に対しても適用可能である。
【符号の説明】
【００３０】
１０   箱部分
１１   蓋
１２   カラー部
１３   縦折線
１４   横折線
１５   −箱・前壁
１６   底壁
１７   箱・後壁
１８   （外側の）箱・横タブ
１９   （内側の）箱・横タブ
２０   底・角タブ
２１   箱・側壁
２２   蓋・前壁
２３   頭部壁
２４   蓋・後壁
２５   線接続部
２６   蓋・横タブ
２７   蓋・横タブ
２８   頭部・角タブ
２９   蓋・内タブ
３０   蓋・側壁
３１   孔
３２   周辺空所部
３３   蓋・閉じ縁部
３４   箱・閉じ縁部
３５   開口部
３６   開口部
３７   穿孔部
３８   周辺部
３９   湾曲部
４０   形状周辺部
４１   凸状部
４２   くぼみ
４３   充填部
４４   丸縁部
４５   刻印帯
４６   針孔部
４７   隆起部
４８   内包み
４９   たばこブロック
５０   構造範囲
【図１】
2014532594.tif 000003
【図２】
2014532594.tif 000004
【図３】
2014532594.tif 000005
【図４】
2014532594.tif 000006
【図５】
2014532594.tif 000007
【図６】
2014532594.tif 000008
【図７】
2014532594.tif 000009
【図８】
2014532594.tif 000010
【図９】
2014532594.tif 000011
【図１０】
2014532594.tif 000012
【図１１】
2014532594.tif 000013
【図１２】
2014532594.tif 000014
【図１３】
2014532594.tif 000015
【図１４】
2014532594.tif 000016
【図１５】
2014532594.tif 000017
【図１６】
2014532594.tif 000018
【図１７】
2014532594.tif 000019
【図１８】
2014532594.tif 000020
【図１９】
2014532594.tif 000021
【国際調査報告】
2014532594.tif 000022
2014532594.tif 000023
2014532594.tif 000024
2014532594.tif 000025
2014532594.tif 000026
2014532594.tif 000027
2014532594.tif 000028
2014532594.tif 000029